【事件の表示】
　特願２００３−　７７７６８「広告掲示板」拒絶査定不服審判事件〔平成１６年１０月１４日出願公開、特開２００４−２８９３９３〕について、次のとおり審決する。
【結　論】
　本件審判の請求は、成り立たない。
【理　由】
１．手続の経緯と本願発明
　本願は、平成１５年３月２０日の出願であって、特許請求の範囲の請求項１に係る発明（以下、「本願発明」という。）は、平成１８年１１月１７日付け手続補正書により補正された明細書及び図面の記載からみて、その特許請求の範囲の請求項１に記載された以下のとおりのものと認める。
　
（本願発明）
　「フィルム基板と、
　複数の文字あるいは図形の単位毎にその外縁を囲むように前記フィルム基板上に導電材を用いて線状に形成されている広告形象と、
　導電材により前記複数の文字あるいは図形の単位の内の任意の数の単位が相互に接続されてアンテナ素子とされていると共に、残る前記複数の文字あるいは図形の単位が無給電素子とされることにより、前記アンテナ素子および前記無給電素子により前記フィルム基板上にアンテナが構成されていることを特徴とする広告掲示板。」
　
２．引用発明及び周知技術
　Ａ．これに対して原審の拒絶理由に引用された特公平３−７４８４５号公報（以下、「引用例」という。）には、「車両用アンテナ装置」として図面とともに以下の事項が記載されている。
　
　イ．「１　フロントガラス、リアーガラスまたはサイドガラス等の側部に金属等の導電部を有するピラーを備えた車両に設置されるアンテナ装置であつて、
　受信電波の１／４波長以下の長さのアンテナエレメントを、前記ガラスの表面もしくは前記ガラスの中に、前記ピラーから所定距離を置いて設けたことを特徴とする車両用アンテナ装置。」（１頁１欄、特許請求の範囲）
　
　ロ．「　第３図は第１図のアンテナエレメント２の構造を具体的に示すもので、第３図ａはその平面図、第３図ｂはその断面図である。透明なプラスチツクフイルム１３と１４は銅箔のような導電体１５をはさむ形で熱圧着等の方法で接合されており、フイルム１３の裏面には接着剤が塗布されていて、窓ガラスの表面に固定できるようになつている。導電体１５の１端は露出していて、出力端子となつている。」（２頁４欄、２５〜３３行目）
　
　ハ．「　第３１図は本願の別実施例を示すもので、アンテナエレメントを単に短冊型の金属箔やワイヤーでなくエレメント自体を図形・文字の形とし、各図形文字等を細い導電部材で接続したものであり、図形全体の長さが所定の長さとなっておれば通常のアンテナエレメントと同じ性能が得られる。
　このパターンは前記のように独立した図形間を導電部材で接続しても良く、あるいは一筆書きのような図形とすれば金属箔よりプレスの一工程で打抜くことも容易にできる。」（６頁１１欄、３〜１３行）
　
　ニ．「　また、アンテナエレメントの形状を文字・図形の形を組合せたものとすることによつてアンテナとしての機能と共に、車の所有者の名前とか、あるメツセージを伝えるとか種々の用途に余計なスペースを用いずに利用できる。」（６頁１２欄、１〜５行）
　
　上記引用例の記載及び図面ならびにこの分野における技術常識を考慮すると、
引用例記載の「車両用アンテナ装置」を構成する「アンテナエレメント２」は、上記ロ．及び第３図にあるように、「プラスチツクフイルム１３」上に「銅箔のような導電体１５」を用いて構成されており、
上記ハ．及び第３１図によれば、「アンテナエレメント自体を図形・文字の形とし、各図形文字等を細い導電部材で接続」して構成されるものである。
　したがって、上記引用例には以下の発明（以下、「引用発明」という。）が記載されている。
　
（引用発明）
「プラスチツクフイルムと、
導電体を用いて形成された図形文字と、
各図形文字を導電部材で接続してアンテナエレメントとされていると共に、前記アンテナエレメントにより前記プラスチツクフイルム上にアンテナが構成されている車両用アンテナ装置。」
　
　Ｂ．例えば、国際公開第０１／５４２２６号パンフレット（以下、「周知例１」という。）、又は、
実願昭５７−１７４６６０号の願書に添付した明細書と図面を撮影したマイクロフィルム（実開昭５９−７８７０８号参照、以下、「周知例２」という。）には図面とともに以下の事項が記載されている。
　
（周知例１）
　イ．「　The antenna forming components 17, on opposite sides of the gap 18, in the FIGURE 6 embodiment are in the configuration of words, letters, and/or numbers, or have another configuration that is aesthetic and/or does not clearly identify the element 17 as a part of an RF antenna. 
　The final substrates 19 of FIGURES 2,5, and 6 also may have other indicia associated therewith aside from what is provided by (if any) the antenna elements 17. 
　For example other indicia in the form of ink or toner is indicated schematically 25 in FIGURE 5, and as also indicated schematically at 26 in FIGURE 6. Rather than being simple ink or toner the indicia 25,26 may have a foil or film outer surface and be made in the same way as the antenna elements 17. 」（６頁２４〜３３行）
（邦訳）
「　図６の実施形態において、間隙１８の両側にあるアンテナ形成部品１７は、言葉、文字、数字の形態を成しており、あるいは、審美的であったり、要素１７がＲＦアンテナの一部であることがはっきりと分からない他の形態を成している。
　また、図２、図５、図６の最終基板１９は、（たとえあるとしても）アンテナ要素１７によって形成されたもののほかに、それに関連付けられた他の印を有していても良い。
　例えば、インクまたはトナーの形態を成す他の印が、図５に２５で概略的に示されており、また、図６に２６で概略的に示されている。印２５，２６は、単純なインクやトナーではなく、箔または膜の外面を有していても良く、また、アンテナ要素１７と同じ方法で形成されても良い。」
　
（周知例２）
　イ．「その実施例について第３図に示す。すなわち文字，記号５を導体で構成し、これをアンテナパターン６と接続することにより、アンテナ実効長を増すことができるため、アンテナ利得を向上させることが可能となる」（４頁３〜８行目）
　
　ロ．第３図には、導体で構成された文字列「ＡＢＣＤＥＦＧ」を「ＡＢＣ」と「ＤＥＦＧ」に分割し、それぞれのアンテナパターンに接続する例が開示されている。
　
　例えば上記周知例１、２に開示されているように「一連の文字列を分割して分割したそれぞれの文字列をアンテナ素子の一部とする」技術手段は周知である。
　
　Ｃ．例えば、実願昭６３−７８３７９号の願書に添付した明細書と図面を撮影したマイクロフィルム（実開平２−８１１号１頁、実用新案登録請求の範囲参照、以下、「周知例３」という。）、又は、
特開平３−１１３９０１号公報（２頁右下欄１１〜１７行及び第１図参照、以下、「周知例４」という。）、又は、
特開２００２−３５３７２１号公報（【請求項６】、【００３４】及び図４参照、以下、「周知例５」という。）にあるように、
「アンテナ素子近傍に無給電素子を設けたアンテナ装置」は周知のものである。
　
　
３．対比
　本願発明と引用発明とを対比すると、
　まず、引用発明の「プラスチツクフイルム」は、フイルムであるから板状であって、その上にアンテナエレメントを構成する導電部材が設置される基礎となるものであるから「基板」ということができ、本願発明の「フィルム基板」に相当する。
　
　また、引用発明の「導電体を用いて形成された図形文字」は、「図形文字」であるから姿、形を有するものであって、「形象」（表にあらわれた形。すがた[株式会社岩波書店 広辞苑第六版]）ということができ、
少なくとも個々の文字、図形を単位として複数用いられるのは、引用例図３１に「ＴＵＲＢＯ」とあるように引用発明も同様であり、
少なくとも「文字」は「線状」の図形であり、
「フィルム基板」（プラスチツクフイルム）上に「導電体を用いて形成された」ものであるから、
本願発明の「複数の文字あるいは図形の単位毎にその外縁を囲むように前記フィルム基板上に導電材を用いて線状に形成されている広告形象」と対比した場合、「その外縁を囲むように」及び「広告」の点を除き、
両者は「複数の文字あるいは図形の単位毎に前記フィルム基板上に導電材を用いて線状に形成されている形象」の点で一致する。
　
　また、引用発明の「アンテナエレメント」とは、「エレメント」は「element」（素子）のことであるから、本願発明の「アンテナ素子」に相当するので、
引用発明の「各図形文字を導電部材で接続してアンテナエレメントとされている」構成と、
本願発明の「導電材により前記複数の文字あるいは図形の単位の内の任意の数の単位が相互に接続されてアンテナ素子とされている」構成は、
「任意の数の単位」の点を除き、「導電材により前記複数の文字あるいは図形の単位が相互に接続されてアンテナ素子とされている」点で一致する。
　
　そして、本願発明の「広告掲示板」と、引用発明の「車両用アンテナ装置」は、いずれもアンテナ素子によりフィルム基板上にアンテナが構成されている「板状体」である点で一致している。
　したがって、本願発明と引用発明は、以下の点で一致ないし相違する。
　
＜一致点＞
　「フィルム基板と、
　複数の文字あるいは図形の単位毎に前記フィルム基板上に導電材を用いて線状に形成されている形象と、
　導電材により前記複数の文字あるいは図形の単位が相互に接続されてアンテナ素子とされていると共に、前記アンテナ素子により前記フィルム基板上にアンテナが構成されている板状体。」
　
＜相違点＞
（１）「形象」に関し、
本願発明は「複数の文字あるいは図形の単位毎にその外縁を囲むように前記フィルム基板上に導電材を用いて線状に形成されている広告形象」であるのに対し、
引用発明は「導電体を用いて形成された図形文字」であって、「その外縁を囲むように」及び「広告」との要件がない点。
　
（２）「アンテナ素子」に関し、
本願発明は「導電材により前記複数の文字あるいは図形の単位の内の任意の数の単位が相互に接続されてアンテナ素子とされている」のに対し、
引用発明は「各図形文字を導電部材で接続してアンテナエレメントとされている」構成であって、「（単位の内の）任意の数の単位」との要件がない点。
　
（３）「アンテナ」の構成に関し、
本願発明は「残る前記複数の文字あるいは図形の単位が無給電素子とされることにより、前記アンテナ素子および前記無給電素子により前記フィルム基板上にアンテナが構成されている」のに対し、
引用発明は「前記アンテナエレメントにより前記プラスチツクフイルム上にアンテナが構成されている」ものの「無給電素子」に関する要件は不明な点。
　
（４）「板状体」に関し、本願発明は「広告掲示板」であるのに対し、引用発明は「車両用アンテナ装置」である点。
　
　
４．判断
　まず、上記相違点（１）の「広告形象」の点について検討するに、引用例の上記ニ．にも示唆があることであるが、文字が表す内容を広告に利用するか否かは当業者であれば所望に応じて適宜決定し得る単なる設計的事項である。
　また、「形象」が「その外縁を囲むように」形成される点について検討するに、
例えば「袋文字」と称される種類のフォントが従来からあるように、文字を目立たせたい場合などに、文字の外縁のみを強調して描画する太文字の表記方法は周知であり、当該周知の表記方法を引用発明の「図形文字」に適用する上での阻害要因は何ら見あたらない。
　したがって、これらの周知の表記方法ないしは設計的事項に基づいて、引用発明の「導電体を用いて形成された図形文字」を、本願発明のような「複数の文字あるいは図形の単位毎にその外縁を囲むように前記フィルム基板上に導電材を用いて線状に形成されている広告形象」とする程度のことは当業者であれば適宜なし得ることである。
　
　ついで、上記相違点（２）の「アンテナ素子」を構成する「任意の数の単位」の点、及び上記相違点（３）の「アンテナ」の構成における「無給電素子」についてまとめて検討するに、
　そもそも、本願発明の「任意の数の単位」の「任意の数」は、「任意」なのであるから「全ての単位」の場合が含まれることは論理的にも明白であって、この場合「残る前記複数の文字あるいは図形の単位」(即ち、無給電素子の数)は零（０）になり、本願発明は「無給電素子」を有しない構成をも含むものである。
　さらに念のため、本願発明における「無給電素子」の実質についても検討するに、例えば、出願当初の請求項７や補正後の請求項４の、「前記無給電素子を前記第１のアンテナ素子に接続する導電材からなる線状の短絡手段が、前記フィルム基板上に形成されていることを特徴とする請求項５（２）あるいは６（３）記載の広告掲示板。」という記載を参照すれば、本願発明の「無給電素子」もアンテナ素子に接続されて給電され得るものであるから、実質的には「アンテナ素子」と相違がない。
　そしてこの場合、本願発明の上記相違点（２）及び（３）に関する構成は、引用発明の「各図形文字を導電部材で接続してアンテナエレメントとされている」構成及び「アンテナエレメントにより前記プラスチツクフイルム上にアンテナが構成されている」という構成と実質的に変わるところがなく、相違点（２）及び（３）は実質的な相違ではない。
　
　また、仮に、本願発明は少なくとも１個の「無給電素子」を含むものであるとしても、
例えば、上記周知例１、２に開示されているように、「一連の文字列を分割して分割したそれぞれの文字列をアンテナ素子の一部とする」技術手段は周知であり、
また、例えば、上記周知例３〜５に開示されているように、「アンテナ素子近傍に無給電素子を設けたアンテナ装置」も周知のものであって、
これらの周知技術を引用発明に適用する上での阻害要因もまた何ら見あたらないから、
これらの周知技術に基づいて、引用発明の「アンテナ素子」（アンテナエレメント）を、アンテナとして必要な長さ部分で分割し、残余の部分を無給電素子とすることにより、
本願発明のような「導電材により前記複数の文字あるいは図形の単位の内の任意の数の単位が相互に接続されてアンテナ素子とされている」構成、及び「残る前記複数の文字あるいは図形の単位が無給電素子とされることにより、前記アンテナ素子および前記無給電素子により前記フィルム基板上にアンテナが構成されている」構成に変更する程度のことは当業者であれば容易になし得る程度のことと言わざるを得ない。
　
　最後に、上記相違点（４）の「板状体」について検討するに、
本願発明の「広告掲示板」と、引用発明の「車両用アンテナ装置」は、いずれも文字や図形からなるアンテナを実装したフィルム基板であり、
前記文字や図形を広告に利用することが設計的事項であることは前記相違点（１）で検討したとおりであって、
そのような「広告形象」を形成した「板状体」（フィルム基板）を広告が掲示されているのであるから「掲示板」と称するのは任意なことなので、
当該設計的事項に基づいて、引用発明の「車両用アンテナ装置」を本願発明のような「広告掲示板」とすることも当業者であれば適宜なし得ることである。
　
　
５．むすび
　以上のとおり、本願発明は、引用発明及び周知技術ないしは設計的事項に基づいて当業者が容易に発明をすることができたものと認められるから、特許法第２９条第２項の規定により、特許を受けることができない。
　
　よって、結論のとおり審決する。